(57)【要約】【課題】モードによっては両手での入力操作を容易に行なうことができる電子機器を提供すること。【解決手段】電子機器１では、互いにスライド可能または／および回転可能に連結された複数の筐体１０、２０、３０を備えており、これらの筐体１０、２０、３０を相対移動させることにより、待機モードと、第１モードと、第２モードとが実行される。かかるモードのうち、第１モードでは表示部５に対して一方側１ａに第１入力操作部７１が位置し、表示部５では縦長表示が行なわれる。第２モードでは、表示部５の両側に第１入力操作部７１および第２入力操作部７２が位置し、表示部５では横長表示が行なわれる。【選択図】図１
2009171085.tif 000002
【特許請求の範囲】
【請求項１】
互いに相対的に移動可能に連結された複数の筐体を備えた電子機器において、
前記複数の筐体を相対移動させることにより、情報が表示される表示部に対して一方側に第１入力操作部が位置する第１モードと、前記表示部に対して前記一方側に前記第１入力操作部が位置するとともに、前記表示部の他方側に第２入力操作部が位置する第２モードとに切り換えられ、
前記第１モードでは、前記表示部で前記第１入力操作部が位置する側を下方とする画像表示が行なわれ、前記第２モードでは、前記表示部で前記第１入力操作部および前記第２入力操作部が位置する側を左右方向とする画像表示が行なわれることを特徴とする電子機器。
【請求項２】
前記複数の筐体として、前記第１入力操作部が表面に構成された第１筐体と、前記第２入力操作部が表面に構成された第２筐体と、前記表示部が表面に構成された第３筐体とを有し、
前記第１モードでは、前記第３筐体が前記第１入力操作部を露出させた状態で前記第２筐体の表面に重なって前記第２入力操作部の表面を覆った状態にあり、
前記第１モードから前記第２モードに切り換える際、前記第１入力操作部の露出状態を維持したまま前記第２筐体に対して前記第３筐体を前記一方側に相対移動させることにより前記第２入力操作部の表面を露出させることを特徴とする請求項１に記載の電子機器。
【請求項３】
前記第３筐体に対して前記第１筐体および前記第２筐体を相対移動させることにより、前記第３筐体に対して前記第１筐体および前記第２筐体が厚さ方向に重なった待機モードと、前記第１モードとの間での切り換えが行なわれることを特徴とする請求項２に記載の電子機器。
【請求項４】
前記第１筐体の前記他方側の端部と前記第２筐体の前記一方側の端部とはヒンジ機構を介して連結され、
前記第３筐体は、前記第２筐体の表面側で当該第２筐体に対してスライド機構を介して連結され、
前記待機モードでは、前記第１筐体の表面側で前記第２筐体および前記第３筐体が表面を前記第１筐体に向けて重なった状態にあり、
前記待機モードから前記第１モードへの切り換えは、前記ヒンジ機構により、前記第２筐体および前記第３筐体を重なった状態のまま前記第１筐体に対して前記他方側に向けて回転させて前記第１筐体の表面および前記第３筐体の表面を露出させることにより行なわれ、
前記第１モードから前記第２モードへの切り換えは、前記スライド機構により前記第３筐体を前記第２筐体の表面側で前記第１筐体に向けてスライドさせて当該第１筐体の表面の一部を覆う一方、前記第２筐体の表面の前記他方側の開放することにより行なわれることを特徴とする請求項３に記載の電子機器。
【請求項５】
前記第１筐体は、前記第３筐体の裏面側で当該第３筐体に第１スライド機構を介して連結され、
前記第２筐体は、前記第３筐体の裏面側で当該第３筐体に第２スライド機構を介して連結され、
前記待機モードでは、前記第３筐体の裏面側に前記第１筐体および前記第２筐体が表面を当該第３筐体に向けて重なった状態にあり、
前記待機モードから前記第１モードへの切り換えは、前記第１スライド機構により前記第３筐体に対して前記第１筐体のみを前記一方側にスライドさせて前記第１筐体の表面を露出させることにより行なわれ、
前記第１モードから前記第２モードへの切り換えは、前記第２スライド機構により前記第２筐体を前記第３筐体に対して前記他方側にスライドさせて前記第２筐体の表面を露出させることにより行なわれることを特徴とする請求項３に記載の電子機器。
【請求項６】
前記第１筐体は、前記第３筐体の裏面側で当該第３筐体に第１スライド機構を介して連結され、
前記第２筐体は、前記第３筐体の内側に収納された状態で当該第３筐体に第２スライド機構を介して連結され、
前記待機モードでは、前記第３筐体の裏面側に前記第１筐体が重なるとともに当該第３筐体の内部に前記第２筐体が収納された状態にあり、
前記待機モードから前記第１モードへの切り換えは、前記第１スライド機構により前記第３筐体に対して前記第１筐体のみを前記一方側にスライドさせて前記第１筐体の表面を露出させることにより行なわれ、
前記第１モードから前記第２モードへの切り換えは、前記第２スライド機構により前記第２筐体を前記第３筐体から他方側にスライドさせて前記第２筐体の表面を露出させることにより行なわれることを特徴とする請求項３に記載の電子機器。
【請求項７】
前記複数の筐体として、表面の前記一方側の領域および前記他方側の領域に前記第１入力操作部および前記表示部が各々形成された第１筐体と、前記第２入力操作部が表面に構成された第２筐体とを有し、
前記第１モードでは、前記第１筐体が前記第２筐体の表面側に重なって前記第２入力操作部が当該第１筐体によって覆われた状態にあり、
前記第１モードから前記第２モードに切り換える際、前記第２筐体に対して前記第１筐体を前記一方側に相対移動させることにより前記第２筐体の表面を露出させることを特徴とする請求項１に記載の電子機器。
【請求項８】
前記第２筐体は、前記第１筐体の裏面側で当該第１筐体にスライド機構を介して連結され、
前記第１モードから前記第２モードへの切り換えは、前記スライド機構により前記第２筐体を前記第１筐体に対して前記他方側にスライドさせて前記第２筐体の表面を露出させることにより行なわれることを特徴とする請求項７に記載の電子機器。
【請求項９】
前記第２筐体の表面には、前記第２入力操作部に対して前記一方側の領域に第３入力操作部が構成され、
待機モードでは、前記第１筐体に対して前記第２筐体が厚さ方向に重なって前記第２入力操作部および前記第３入力操作部が前記第１筐体で覆われた状態にあり、
前記待機モードから前記第１モードに切り換えた際、前記第１操作部に対して前記一方側で前記第３入力操作部が露出することを特徴とする請求項８に記載の電子機器。
【請求項１０】
前記第１モードと前記第２モードとの間の切り換えを検出するセンサを備え、
前記センサでの検出結果に基づいて、前記第１モードと前記第２モードとの間で前記表示部で表示される画像の向きが自動的に切り換えられることを特徴とする請求項１乃至９の何れか一項に記載の電子機器。
【請求項１１】
前記表示部では、前記センサでの検出結果に基づいて、前記第２モードのときには当該第２モードで使用が予測されるアプリケーションの選択画面が前記表示部に表示されることを特徴とする請求項１０に記載の電子機器。
【請求項１２】
前記第１入力操作部および前記第２入力操作部のうちの少なくとも一方は、入力機能付き表示装置により構成され、
前記第２モードでは、前記第１入力操作部または／前記第２入力操作部に対する入力操作に基づいて前記入力機能付き表示装置に表示される操作ボタンの形態が切り換えられることを特徴とする請求項１乃至１１の何れか一項に記載の電子機器。
【発明の詳細な説明】
【技術分野】
【０００１】
本発明は、互いにスライド可能または／および回転可能に連結された複数の筐体に表示部および入力操作部が構成された電子機器に関するものである。
【背景技術】
【０００２】
近年、携帯電話やＰＤＡなどの電子機器は、処理速度が飛躍的に向上した結果、本来の目的以外の多数の機能が付加されている。例えば、携帯電話にあっては、通話機能の他に、ＴＶ電話機能や、カメラ機能、ビデオ撮影／表示機能、ゲーム機能、音楽再生機能、スケジュール機能等の多くの機能が備えられるようになってきている。このため、従来のように、縦長の表示部の下方位置に入力操作部が配置されているだけでは、各種機能を利用する際の利便性に欠けるという問題点がある。
【０００３】
そこで、スライド機構やヒンジ機構を用いて、表示部の向きや表示部に対する入力操作部の位置を切り換えることのできる電子機器が提案されている（例えば、特許文献１〜４参照）。
【特許文献１】特開２００４−３１２９８２号公報
【特許文献２】特開２００５−３４１０２５号公報
【特許文献３】特開２００５−７６６８８号公報
【特許文献４】特開２００６−３１３５３３号公報
【特許文献５】特開２００５−２６９５６６号公報
【特許文献６】特開２００７−１９６８０号公報
【発明の開示】
【発明が解決しようとする課題】
【０００４】
しかしながら、上記特許文献１〜６に記載の構成を採用した場合、アプリケーションに応じて画像を見やすくするなどの利点はあっても、両手での操作が容易ではないといった操作面での不便は十分に解消されておらず、さらなる利便性の向上が望まれている。
【０００５】
そこで、本発明の課題は、モードによっては両手での入力操作を容易に行なうことができる電子機器を提供することにある。
【課題を解決するための手段】
【０００６】
上記課題を解決するために、本発明では、互いに相対移動可能に連結された複数の筐体を備えた電子機器において、前記複数の筐体を相対移動させることにより、情報が表示される表示部に対して一方側に第１入力操作部が位置する第１モードと、前記表示部に対して前記一方側に前記第１入力操作部が位置するとともに、前記表示部の他方側に第２入力操作部が位置する第２モードとに切り換えられ、前記第１モードでは、前記表示部で前記第１入力操作部が位置する側を下方とする画像表示が行なわれ、前記第２モードでは、前記表示部で前記第１入力操作部および前記第２入力操作部が位置する側を左右方向とする画像表示が行なわれることを特徴とする。
【０００７】
本発明に係る電子機器において、第１モードでは、情報が表示される表示部に対して一方側に第１入力操作部が位置し、表示部では第１入力操作部が位置する側を下方とする画像表示が行なわれる。また、本発明では、表示部を挟む両側に第１入力操作部および第２入力操作部が位置する第２モードが実現され、かかる第２モードでは、第１入力操作部および第２入力操作部が位置する側を左右方向とする画像表示が行なわれる。従って、第２モードでは、表示部で表示された画像をみながら第１入力操作部および第２入力操作部を両手で操作することができ、ゲーム機能などを利用する際の操作性がよい。
【０００８】
本発明においては、３つの筐体を用いた形態、あるいは２つの筐体を用いた形態を採用することができる。
【０００９】
本発明において、３つの筐体を用いる場合、前記複数の筐体として、前記第１入力操作部が表面に構成された第１筐体と、前記第２入力操作部が表面に構成された第２筐体と、前記表示部が表面に構成された第３筐体とを有し、前記第１モードでは、前記第３筐体が前記第１入力操作部を露出させた状態で前記第２筐体の表面に重なって前記第２入力操作部の表面を覆った状態にあり、前記第１モードから前記第２モードに切り換える際、前記第１入力操作部の露出状態を維持したまま前記第２筐体に対して前記第３筐体を前記一方側に相対移動させることにより前記第２入力操作部の表面を露出させることが好ましい。このように構成すると、第１モードでは、第３筐体が第２筐体の表面を覆った状態にあるので、第１モードでは電子機器のサイズが小さくて済む。
【００１０】
かかる構成を採用した場合、前記第３筐体に対して前記第１筐体および前記第２筐体を相対移動させることにより、前記第３筐体に対して前記第１筐体および前記第２筐体が厚さ方向に重なった待機モードと、前記第１モードとの間での切り換えが行なわれることが好ましい。このように構成すると、待機状態における電子機器のサイズを最小限にすることができる。
【００１１】
本発明において、３つの筐体を用い、かつ、待機モードを設定した場合、前記第１筐体の前記他方側の端部と前記第２筐体の前記一方側の端部とはヒンジ機構を介して連結され、前記第３筐体は、前記第２筐体の表面側で当該第２筐体に対してスライド機構を介して連結され、前記待機モードでは、前記第１筐体の表面側で前記第２筐体および前記第３筐体が表面を前記第１筐体に向けて重なった状態にあり、前記待機モードから前記第１モードへの切り換えは、前記ヒンジ機構により、前記第２筐体および前記第３筐体を重なった状態のまま前記第１筐体に対して前記他方側に向けて回転させて前記第１筐体の表面および前記第３筐体の表面を露出させることにより行なわれ、前記第１モードから前記第２モードへの切り換えは、前記スライド機構により前記第３筐体を前記第２筐体の表面側で前記第１筐体に向けてスライドさせて当該第１筐体の表面の一部を覆う一方、前記第２筐体の表面の前記他方側の開放することにより行なわれる構成を採用することができる。
【００１２】
本発明において、３つの筐体を用い、かつ、待機モードを設定した場合の別の形態としては、前記第１筐体は、前記第３筐体の裏面側で当該第３筐体に第１スライド機構を介して連結され、前記第２筐体は、前記第３筐体の裏面側で当該第３筐体に第２スライド機構を介して連結され、前記待機モードでは、前記第３筐体の裏面側に前記第１筐体および前記第２筐体が表面を当該第３筐体に向けて重なった状態にあり、前記待機モードから前記第１モードへの切り換えは、前記第１スライド機構により前記第３筐体に対して前記第１筐体のみを前記一方側にスライドさせて前記第１筐体の表面を露出させることにより行なわれ、前記第１モードから前記第２モードへの切り換えは、前記第２スライド機構により前記第２筐体を前記第３筐体に対して前記他方側にスライドさせて前記第２筐体の表面を露出させることにより行なわれる構成を採用することができる。
【００１３】
また、本発明において、３つの筐体を用い、かつ、待機モードを設定した場合のさらに別の形態としては、前記第１筐体は、前記第３筐体の裏面側で当該第３筐体に第１スライド機構を介して連結され、前記第２筐体は、前記第３筐体の内側に収納された状態で当該第３筐体に第２スライド機構を介して連結され、前記待機モードでは、前記第３筐体の裏面側に前記第１筐体が重なるとともに当該第３筐体の内部に前記第２筐体が収納された状態にあり、前記待機モードから前記第１モードへの切り換えは、前記第１スライド機構により前記第３筐体に対して前記第１筐体のみを前記一方側にスライドさせて前記第１筐体の表面を露出させることにより行なわれ、前記第１モードから前記第２モードへの切り換えは、前記第２スライド機構により前記第２筐体を前記第３筐体から他方側にスライドさせて前記第２筐体の表面を露出させることにより行なわれる構成を採用してもよい。
【００１４】
本発明において、２つの筐体を用いる場合、前記複数の筐体として、表面の前記一方側の領域および前記他方側の領域に前記第１入力操作部および前記表示部が各々形成された第１筐体と、前記第２入力操作部が表面に構成された第２筐体とを有し、前記第１モードでは、前記第１筐体が前記第２筐体の表面側に重なって前記第２入力操作部が当該第１筐体によって覆われた状態にあり、前記第１モードから前記第２モードに切り換える際、前記第２筐体に対して前記第１筐体を前記一方側に相対移動させることにより前記第２筐体の表面を露出させる構成を採用することができる。
【００１５】
例えば、前記第２筐体は、前記第１筐体の裏面側で当該第１筐体にスライド機構を介して連結され、前記第１モードから前記第２モードへの切り換えは、前記スライド機構により前記第２筐体を前記第１筐体に対して前記他方側にスライドさせて前記第２筐体の表面を露出させる構成を採用することができる。
【００１６】
本発明において、前記第２筐体の表面には、前記第２入力操作部に対して前記一方側の領域に第３入力操作部が構成され、待機モードでは、前記第１筐体に対して前記第２筐体が厚さ方向に重なって前記第２入力操作部および前記第３入力操作部が前記第１筐体で覆われた状態にあり、前記待機モードから前記第１モードへの切り換えた際、前記第１操作部に対して前記一方側で前記第３入力操作部が露出する構成を採用してもよい。このように構成すると、第１モードにおいては、第１入力操作部に隣接する位置に第３入力操作部が位置するので、第１入力操作部については、第２モードに必要な数のボタンがあればよいので、第１入力操作部の小型化を図ることができる。
【００１７】
本発明において、前記第１モードと前記第２モードとの間の切り換えを検出するセンサを備え、前記センサでの検出結果に基づいて、前記第１モードと前記第２モードとの間で前記表示部で表示される画像の向きが自動的に切り換えられることが好ましい。
【００１８】
また、本発明において、前記表示部では、前記センサでの検出結果に基づいて、前記第２モードのときには当該第２モードで使用が予測されるアプリケーションの選択画面が前記表示部に表示されることが好ましい。
【００１９】
本発明において、前記第１入力操作部および前記第２入力操作部のうちの少なくとも一方は、入力機能付き表示装置により構成され、前記第２モードでは、前記第１入力操作部または／前記第２入力操作部に対する入力操作に基づいて前記入力機能付き表示装置に表示される操作ボタンの形態が切り換えられることが好ましい。このように構成すると、入力機能付き表示装置で構成された入力操作部については、第２モードで利用されるアプリケーションに適した操作ボタンが配置されることになるので、使い勝手がよい。
【発明を実施するための最良の形態】
【００２０】
以下、図面を参照して、本発明を適用した電子機器を説明する。
【００２１】
［実施の形態１］
（全体構成）
図１（ａ）、（ｂ）、（ｃ）は各々、本発明の実施の形態１に係る電子機器の待機モード、第１モード、および第２モードでの形態を示す説明図である。図２（ａ）、（ｂ）は、本発明を適用した電子機器の表示部において、第１モードで表示される画像の説明図、および第２モードで表示される画像の説明図である。
【００２２】
図１（ａ）、（ｂ）、（ｃ）に示す電子機器１は、通話機能、ＴＶ電話機能、カメラ機能、ビデオ撮影／表示機能、ゲーム機能、音楽再生機能、スケジュール機能等の多くの機能を備えた携帯端末装置であり、以下に説明するように、利用する機能に応じて形態が変化する。
【００２３】
まず、本形態の電子機器１は、互いに相対移動可能に連結された複数の筐体を備えており、これらの筐体を相対移動させることにより、図１（ａ）に示す待機モードと、図１（ｂ）に示す第１モードと、図１（ｃ）に示す第２モードとが実行される。かかるモードのうち、図１（ｂ）に示す第１モードでは、情報が表示される液晶装置や有機エレクトロルミネッセンス装置からなる表示部５に対して一方側１ａに第１入力操作部７１が位置し、図１（ｃ）に示す第２モードでは、表示部５に対して一方側１ａに第１入力操作部７１が位置するとともに、表示部５の他方側１ｂに第２入力操作部７２が位置する。
【００２４】
かかるモード切り換えに対応して、表示部５では、図２（ａ）に示すように、第１モードにおいては、表示部５で第１入力操作部７１が位置する側を下方とする縦長表示が行なわれ、図２（ｂ）に示すように、第２モードでは、表示部５で第１入力操作部７１および第２入力操作部７２が位置する側を左右方向とする横長表示が行なわれる。また、第２モードのときには、表示部５に、第２モードで使用が予測されるアプリケーションの選択画面、例えば、ゲーム機能を選択するための「Ｇａｍｅ」なる文字、インターネット機能を選択するための「Ｗｅｂ」なる文字、メール機能を選択するための「Ｍａｉｌ」なる文字が表示され、かかる選択は、第１入力操作部７１または／および第２入力操作部７２での操作により選択され、選択された機能に対応するアプリケーションを実行可能となる。
【００２５】
このため、本形態の電子機器１では、第１モードにおいて、従来の携帯電話機と同様、携帯端末機器に構成されている通話機能を利用できるとともに、第２モードにおいて、ゲーム機能、インターネット機能、メール機能を利用する際、表示部５で表示された画像をみながら第１入力操作部７１および第２入力操作部７２を両手で操作することができ、操作性がよい。
【００２６】
かかるモードを実現するにあたって、本形態では、図１に示す第１筐体１０、第２筐体２０、および第３筐体３０からなる３つの筐体が用いられ、かかる３つの筐体（第１筐体１０、第２筐体２０、および第３筐体３０）は略同一サイズであり、図１（ａ）に示す待機モードでは、第３筐体３０に対して第１筐体１０および第２筐体２０が厚さ方向に完全に重なった状態とされる。
【００２７】
まず、本形態では、３つの筐体として、第１入力操作部７１が表面の略全体に構成された第１筐体１０と、第２入力操作部７２が表面の他方側１ｂの端部に構成された第２筐体２０と、表示部５が表面の略全体に構成された第３筐体３０とを有している。ここで、第１筐体１０の他方側１ｂの端部と第２筐体２０の一方側１ａの端部とはヒンジ機構４０を介して連結され、第３筐体３０は、第２筐体２０の表面側で第２筐体２０に対してスライド機構５０を介して連結されている。
【００２８】
本形態において、第１入力操作部７１および第２入力操作部７２はいずれも、押しボタン式の操作部であるが、図９を参照して後述するように、第１入力操作部７１または／および第２入力操作部７２は、液晶装置や有機エレクトロルミネッセンス装置などの表示装置の表面にタッチパネルが構成された入力機能付き表示装置によって構成される場合もある。また、第１入力操作部７１または／および第２入力操作部７２では、押しボタンが印刷されたシートにタッチパネルが重ねて配置されることもある。
【００２９】
このように構成した電子機器１において、図１（ａ）に示す待機モードでは、第１筐体１０の表面側で第２筐体２０および第３筐体３０が表面を第１筐体１０に向けて重なった状態にある。
【００３０】
かかる待機モードから、図１（ｂ）に示す第１モードへの切り換えは、ヒンジ機構４０により、第２筐体２０および第３筐体３０を重なった状態のまま第１筐体１０に対して他方側１ｂに向けて回転させて第１筐体１０の表面および第３筐体３０の表面を露出させる。その結果、表示部５の一方側１ａに第１入力操作部７１が位置する状態となる。かかる動作と反対の動作を行なえば、第１モードから待機モードへの切り換えが行なわれる。
【００３１】
また、第１モードから、図１（ｃ）に示す第２モードへの切り換えは、スライド機構５０により、第３筐体３０を第２筐体２０の表面側で第１筐体１０に向けてスライドさせて第１筐体１０の表面の一部を覆う一方、第２筐体２０の表面の他方側１ｂの端部に形成された第２入力操作部７２を露出させることにより行なわれる。かかる動作と反対の動作を行なえば、第１モードから待機モードへの切り換えが行なわれる。なお、第２モードでは、第１入力操作部７１の一部のみが露出しているが、かかる部分には第２モードに必要な全ての押しボタンが配置されている。
【００３２】
（ヒンジ機構およびスライド機構の構成例）
図３（ａ）、（ｂ）は、本発明を適用した電子機器１において構成されるヒンジ機構の説明図、およびスライド機構の説明図である。
【００３３】
図１に示す電子機器１において、ヒンジ機構４０は、例えば、図３（ａ）に示すように、第１筐体１０の端部の両側に形成された受け部４１と、第２筐体２０の端部の両側に形成された軸部４２とによって構成でき、かかる軸部４２が受け部４１の軸孔４３内に嵌ることにより、第２筐体２０の回転が可能となる。また、軸孔４３の内部では、第１筐体１０の側と第２筐体２０の側との電気的な接続も行なわれている。また、ヒンジ機構４０などを利用して、第２筐体２０の回転許容範囲を規定するストッパ（図示せず）が形成されており、本形態において、第２筐体２０は、第１筐体１０に対して約１８０度以下、例えば、１７０度程度の角度で停止するようになっている。また、第１筐体１０と第２筐体２０の間には、ヒンジ機構４０などに対して第２筐体２０が閉じる方向に不用意に回転することを防止するロック機構（図示せず）も構成されている。さらに、図１に模式的に示すように、第１筐体１０と第２筐体２０との間には、ヒンジ機構４０などを利用して、第１筐体１０に対して第２筐体２０が回転して開いた状態、および閉じた状態を検出する第１センサ９１が構成されており、かかる第１センサ９１は、待機モードと第１モードとの間での切り換えを監視する。なお、第１センサ９１としては、電気接点方式、光学方式、機械スイッチ方式、磁気スイッチ方式のいずれを採用してもよい。
【００３４】
また、図１に示すスライド機構５０は、例えば、図３（ｂ）に示すように、一方の筐体（例えば、第２筐体２０）の側端部に形成されたガイド溝５８と、他方の筐体（例えば、第３筐体３０）の側端部においてガイド溝５８に嵌る突起５９とによって構成でき、かかるガイド溝５８内では、一方の筐体の側と他方の筐体の側での電気的な接続も行なわれている。また、第２筐体２０と第３筐体３０の間には、スライド機構５０などの内部にスライド可能な範囲を規定するストッパ（図示せず）が形成されているとともに、第３筐体３０が一方側１ａに不用意に移動することを防止するロック機構（図示せず）も構成されている。さらに、図１に模式的に示すように、第２筐体２０と第３筐体３０の間には、ガイド溝５８内などを利用して、第２筐体２０と第３筐体３０とが重なった状態、および第２筐体２０に対して第３筐体３０が一方側１ａにスライド移動した状態を検出する第２センサ９２が構成されており、かかる第２センサ９２は、第１モードと第２モードとの間での切り換えを監視する。なお、第１センサ９１としては、電気接点方式、光学方式、機械スイッチ方式、磁気スイッチ方式のいずれを採用してもよい。
【００３５】
（モード制御部の構成例）
図４は、本発明を適用した電子機器１に構成されるモード制御部の構成を示すブロック図である。
【００３６】
本形態の電子機器１では、第１筐体１０の内部に、図４に示すモード制御部６０が構成されている。本形態において、モード制御部６０は、表示部５での表示動作を制御する表示制御部６１と、第１入力操作部７１および第２入力操作部７２の制御を行う入力操作制御部６２とが構成されており、第１センサ９１によって待機モードと第１モードとの間での切り換えを監視した結果は、表示制御部６１および入力操作制御部６２に入力される。従って、表示制御部６１は、待機モードでは表示部５をオフ状態とする一方、第１モードでは表示部５を自動的にオン状態とし、図２（ａ）に示す縦長表示を行なう。また、入力操作制御部６２は、待機モードでは第１入力操作部７１および第２入力操作部７２をオフ状態とする一方、第１モードでは第１入力操作部７１での操作を待ち状態にする。また、入力操作制御部６２は、第１モードでは第２入力操作部７２をオフ状態とする。
【００３７】
また、第２センサ９２によって第１モードと第２モードとの間での切り換えを監視した結果も、表示制御部６１および入力操作制御部６２に入力される。従って、表示制御部６１は、第１モードから第２モードに移行すると、表示部５での表示を、図２（ａ）に示す縦長表示から、図２（ｂ）に示す横長表示に自動的に切り換えるとともに、第２モードで使用が予測されるアプリケーションの選択画面を表示部５に表示させる。また、表示制御部６１は、第２モードから第１モードに移行すると、表示部５での表示を、図２（ｂ）に示す横長表示から、図２（ａ）に示す縦長表示に自動的に切り換える。また、入力操作制御部６２は、第２モードでは第１入力操作部７１および第２入力操作部７２のいずれをも入力待ちの状態とする。
【００３８】
（本形態の主な効果）
以上説明したように、本形態の電子機器１では、第１モードでは、情報が表示される表示部５に対して一方側１ａに第１入力操作部７１が位置し、表示部５では第１入力操作部７１が位置する側を下方とする画像表示が行なわれる。また、本形態では、表示部５を挟む両側に第１入力操作部７１および第２入力操作部７２が位置する第２モードが実現され、かかる第２モードでは、第１入力操作部７１および第２入力操作部７２が位置する側を左右方向とする画像表示が行なわれる。従って、第２モードでは、表示部５で表示された画像をみながら第１入力操作部７１および第２入力操作部７２を両手で操作することができ、ゲーム機能などを利用する際の操作性がよい。
【００３９】
また、本形態では、複数の筐体として、第１入力操作部７１が表面に構成された第１筐体１０と、第２入力操作部７２が表面に構成された第２筐体２０と、表示部５が表面に構成された第３筐体３０とを有し、第１モードでは、第３筐体３０が第１入力操作部７１を露出させる一方、第２筐体２０の表面に完全に重なって第２入力操作部７２の表面を覆った状態にある。このため、第１モードでは、第３筐体３０が第２筐体２０の表面を覆った状態にあるので、第１モードでは電子機器１のサイズが小さくて済む。
【００４０】
また、本形態では、待機モードにおいて、第３筐体３０に対して第１筐体１０および第２筐体２０が厚さ方向に重なった状態とされるので、待機状態における電子機器１のサイズを最小限にすることができる。
【００４１】
［実施の形態２］
図５（ａ）、（ｂ）、（ｃ）は各々、本発明の実施の形態２に係る電子機器１の待機モード、第１モード、および第２モードでの形態を示す説明図である。なお、本形態の電子機器１の基本的な構成は、実施の形態１と同様であるため、共通する機能を有する部分には同一の符号を付してそれらの詳細な説明を省略する。
【００４２】
図５（ａ）、（ｂ）、（ｃ）に示す電子機器１も、実施の形態１と同様、通話機能、ＴＶ電話機能、カメラ機能、ビデオ撮影／表示機能、ゲーム機能、音楽再生機能、スケジュール機能等の多くの機能を備えており、互いにスライド可能に連結された複数の筐体を相対移動させることにより、図５（ａ）に示す待機モードと、図５（ｂ）に示す第１モードと、図５（ｃ）に示す第２モードとが実行される。かかるモードのうち、図５（ｂ）に示す第１モードでは、表示部５に対して一方側１ａに第１入力操作部７１が位置し、図５（ｃ）に示す第２モードでは、表示部５の両側に第１入力操作部７１および第２入力操作部７２が位置する。かかるモード切り換えに対応して、表示部５では、図２（ａ）に示すように、第１モードにおいては、表示部５で第１入力操作部７１が位置する側を下方とする画像表示が行なわれ、図２（ｂ）に示すように、第２モードでは、表示部５で第１入力操作部７１および第２入力操作部７２が位置する側を左右方向とする画像表示が行なわれる。
【００４３】
かかるモードを実現するにあたって、本形態では、以下に説明する第１筐体１０、第２筐体２０、および第３筐体３０からなる３つの筐体が用いられる。
【００４４】
まず、本形態では、３つの筐体として、第１入力操作部７１が表面の一方側１ａの端部に構成された第１筐体１０と、第２入力操作部７２が表面に構成された第２筐体２０と、表示部５が表面の略全体に構成された第３筐体３０とを有している。ここで、第１筐体１０は、第３筐体３０の裏面側で第３筐体３０に第１スライド機構５１を介して連結され、第２筐体２０は、第３筐体３０の裏面側で第３筐体３０に第２スライド機構５２を介して連結されている。
【００４５】
ここで、第３筐体３０は、第１筐体１０のサイズと第２筐体２０のサイズとの和に相当するサイズを有しており、図５（ａ）に示す待機モードでは、第３筐体３０の裏面側において、第１筐体１０と第２筐体２０と表面を第３筐体３０に向けて並んだ状態で第３筐体３０に重なった状態にある。
【００４６】
かかる待機モードから、図５（ｂ）に示す第１モードへの切り換えは、第１スライド機構５１により第３筐体３０に対して第１筐体１０のみを一方側１ａに相対的にスライドさせて第１筐体１０の表面の一方側１ａの端部に構成された第１入力操作部７１を露出させることにより行なわれる。かかる動作と反対の動作を行なえば、第１モードから待機モードへの切り換えが行なわれる。
【００４７】
また、第１モードから、図５（ｃ）に示す第２モードへの切り換えは、第２スライド機構５２により、第２筐体２０を第３筐体３０に対して他方側１ｂに相対的にスライドさせて第２筐体２０の表面に形成された第２入力操作部７２を露出させることにより行なわれる。かかる動作と反対の動作を行なえば、第１モードから待機モードへの切り換えが行なわれる。
【００４８】
このような構成を採用するにあたって、第１スライド機構５１および第２スライド機構５２は、例えば、図３（ｂ）を参照して説明したように、一方の筐体の側端部に形成されたガイド溝５８と、他方の筐体の側端部においてガイド溝５８に嵌る突起５９とによって構成でき、かかるガイド溝５８内では、２つの筐体の間での電気的な接続も行なわれている。また、第１筐体１０と第３筐体３０との間、および第２筐体２０と第３筐体３０との間には、第１スライド機構５１および第２スライド機構５２などを利用して、ストッパやロック機構（図示せず）も構成されている。さらに、図５に模式的に示すように、第１筐体１０と第３筐体３０との間には、第１スライド機構５１などを利用して、第３筐体３０に対して第１筐体１０が重なった状態、およびスライド移動した状態を検出する第１センサ９１が構成されており、かかる第１センサ９１は、待機モードと第１モードとの間での切り換えを監視する。また、図５に模式的に示すように、第２筐体２０と第３筐体３０との間には、第２スライド機構５２などを利用して、第３筐体３０に対して第２筐体１０が重なった状態、およびスライド移動した状態を検出する第２センサ９２が構成されており、かかる第２センサ９２は、第１モードと第２モードとの間での切り換えを監視する。また、本形態では、第１筐体１０の内部に、実施の形態１において図４を参照して説明したモード制御部６０が構成されており、第１センサ９１および第２センサ９２での監視結果に基づいて、表示制御部６１および入力操作制御部６２は、表示部５、第１入力操作部７１および第２入力操作部７２を制御する。
【００４９】
以上説明したように、本形態の電子機器１でも、実施の形態１と同様、第１モードでは、情報が表示される表示部５に対して一方側１ａに第１入力操作部７１が位置し、表示部５では第１入力操作部７１が位置する側を下方とする画像表示が行なわれる。また、本形態では、表示部５を挟む両側に第１入力操作部７１および第２入力操作部７２が位置する第２モードが実現され、かかる第２モードでは、第１入力操作部７１および第２入力操作部７２が位置する側を左右方向とする画像表示が行なわれる。従って、第２モードでは、表示部５で表示された画像をみながら第１入力操作部７１および第２入力操作部７２を両手で操作することができ、ゲーム機能などを利用する際の操作性がよいなど、実施の形態１と同様な効果を奏する。
【００５０】
［実施の形態３］
図６（ａ）、（ｂ）、（ｃ）は各々、本発明の実施の形態３に係る電子機器１の待機モード、第１モード、および第２モードでの形態を示す説明図である。なお、本形態の電子機器１の基本的な構成は、実施の形態１、２と同様であるため、共通する機能を有する部分には同一の符号を付してそれらの詳細な説明を省略する。
【００５１】
図６（ａ）、（ｂ）、（ｃ）に示す電子機器１も、実施の形態１、２と同様、通話機能、ＴＶ電話機能、カメラ機能、ビデオ撮影／表示機能、ゲーム機能、音楽再生機能、スケジュール機能等の多くの機能を備えており、互いにスライド可能に連結された複数の筐体を相対移動させることにより、図６（ａ）に示す待機モードと、図６（ｂ）に示す第１モードと、図６（ｃ）に示す第２モードとが実行される。かかるモードのうち、図６（ｂ）に示す第１モードでは、情報が表示される表示部５に対して一方側１ａに第１入力操作部７１が位置し、図６（ｃ）に示す第２モードでは、表示部５に対して一方側１ａに第１入力操作部７１が位置するとともに、表示部５の他方側１ｂに第２入力操作部７２が位置する。かかるモード切り換えに対応して、表示部５では、図２（ａ）に示すように、第１モードにおいては、表示部５で第１入力操作部７１が位置する側を下方とする画像表示が行なわれ、図２（ｂ）に示すように、第２モードでは、表示部５で第１入力操作部７１および第２入力操作部７２が位置する側を左右方向とする画像表示が行なわれる。
【００５２】
かかるモードを実現するにあたって、本形態では、以下に説明する第１筐体１０、第２筐体２０、および第３筐体３０からなる３つの筐体が用いられる。
【００５３】
まず、本形態では、３つの筐体として、第１入力操作部７１が表面の一方側１ａの端部に構成された第１筐体１０と、第２入力操作部７２が表面の他方側１ｂの端部に構成された第２筐体２０と、表示部５が表面の略全体に構成された第３筐体３０とを有している。ここで、第１筐体１０は、第３筐体３０と略同一サイズであり、第２筐体２０は、第３筐体３０よりサイズが小さく、かつ、薄い。また、第３筐体３０の下面には、他方側１ｂの端部で開口して第２筐体２０を収納する凹部が形成されている。また、第１筐体１０は、第３筐体３０の裏面側で第３筐体３０に第１スライド機構５１を介して連結され、第２筐体２０は、第３筐体３０の内側に収納された状態で第３筐体３０に第２スライド機構５２を介して連結されている。
【００５４】
このように構成した電子機器１において、図６（ａ）に示す待機モードでは、第３筐体３０の裏面側に第１筐体１０が重なるとともに第３筐体３０の内部に第２筐体２０が収納された状態にある。
【００５５】
待機モードから、図６（ｂ）に示す第１モードへの切り換えは、第１スライド機構５１により第３筐体３０に対して第１筐体１０のみを一方側１ａに相対的にスライドさせて第１筐体１０の表面の一方側１ａの端部に形成されている第１入力操作部７１を露出させることにより行なわれる。かかる動作と反対の動作を行なえば、第１モードから待機モードへの切り換えが行なわれる。
【００５６】
また、第１モードから、図６（ｃ）に示す第２モードへの切り換えは、第２スライド機構５２により第２筐体２０を第３筐体３０から他方側１ｂにスライドさせて第２筐体２０の表面の他方側１ｂの端部に形成されている第２入力操作部７２を露出させることにより行なわれる。かかる動作と反対の動作を行なえば、第２モードから第１モードへの切り換えが行なわれる。
【００５７】
このような構成を採用するにあたって、第１スライド機構５１および第２スライド機構５２は、例えば、図３（ｂ）を参照して説明したように、一方の筐体の側端部に形成されたガイド溝５８と、他方の筐体の側端部においてガイド溝５８に嵌る突起５９とによって構成でき、かかるガイド溝５８内では、２つの筐体の間での電気的な接続も行なわれている。また、第１筐体１０と第３筐体３０との間、および第２筐体２０と第３筐体３０との間には、第１スライド機構５１および第２スライド機構５２などを利用して、ストッパやロック機構（図示せず）も構成されている。さらに、図６に模式的に示すように、第１筐体１０と第３筐体３０との間には、第１スライド機構５１などを利用して、第３筐体３０に対して第１筐体１０が重なった状態、およびスライド移動した状態を検出する第１センサ９１が構成されており、かかる第１センサ９１は、待機モードと第１モードとの間での切り換えを監視する。また、図５に模式的に示すように、第２筐体２０と第３筐体３０との間には、第２スライド機構５２などを利用して、第３筐体３０に対して第２筐体１０が重なった状態、およびスライド移動した状態を検出する第２センサ９２が構成されており、かかる第２センサ９２は、第１モードと第２モードとの間での切り換えを監視する。また、本形態では、第１筐体１０の内部に、実施の形態１において図４を参照して説明したモード制御部６０が構成されており、第１センサ９１および第２センサ９２での監視結果に基づいて、表示制御部６１および入力操作制御部６２は、表示部５、第１入力操作部７１および第２入力操作部７２を制御する。
【００５８】
以上説明したように、本形態の電子機器１でも、実施の形態１、２と同様、第１モードでは、情報が表示される表示部５に対して一方側１ａに第１入力操作部７１が位置し、表示部５では第１入力操作部７１が位置する側を下方とする画像表示が行なわれる。また、本形態では、表示部５を挟む両側に第１入力操作部７１および第２入力操作部７２が位置する第２モードが実現され、かかる第２モードでは、第１入力操作部７１および第２入力操作部７２が位置する側を左右方向とする画像表示が行なわれる。従って、第２モードでは、表示部５で表示された画像をみながら第１入力操作部７１および第２入力操作部７２を両手で操作することができ、ゲーム機能などを利用する際の操作性がよいなど、実施の形態１と同様な効果を奏する。
【００５９】
［実施の形態４］
図７（ａ）、（ｂ）は各々、本発明の実施の形態４に係る電子機器１の第１モード、および第２モードでの形態を示す説明図である。なお、本形態の電子機器１の基本的な構成は、実施の形態１と同様であるため、共通する機能を有する部分には同一の符号を付してそれらの詳細な説明を省略する。
【００６０】
図７（ａ）、（ｂ）に示す電子機器１も、実施の形態１と同様、通話機能、ＴＶ電話機能、カメラ機能、ビデオ撮影／表示機能、ゲーム機能、音楽再生機能、スケジュール機能等の多くの機能を備えている。また、互いにスライド可能に連結された複数の筐体を相対移動させることにより、図７（ａ）に示す第１モードと、図７（ｂ）に示す第２モードとが実行される。かかるモードのうち、図７（ａ）に示す第１モードでは、情報が表示される表示部５に対して一方側１ａに第１入力操作部７１が位置し、図７（ｂ）に示す第２モードでは、表示部５に対して一方側１ａに第１入力操作部７１が位置するとともに、表示部５の他方側１ｂに第２入力操作部７２が位置する。かかるモード切り換えに対応して、表示部５では、図２（ａ）に示すように、第１モードにおいては、表示部５で第１入力操作部７１が位置する側を下方とする画像表示が行なわれ、図２（ｂ）に示すように、第２モードでは、表示部５で第１入力操作部７１および第２入力操作部７２が位置する側を左右方向とする画像表示が行なわれる。
【００６１】
かかるモードを実現するにあたって、本形態では、実施の形態１〜３と違って、以下に説明する第１筐体１０、および第２筐体２０からなる２つの筐体が用いられる。
【００６２】
まず、本形態では、２つの筐体として、表面の一方側１ａの領域および他方側１ｂの領域に第１入力操作部７１および表示部５が各々形成された第１筐体１０と、第２入力操作部７２が表面の他方側１ｂの端部に構成された第２筐体２０とを有している。ここで、第２筐体２０は、第１筐体１０の裏面側で第１筐体１０にスライド機構５５を介して連結されている。また、第１筐体１０と第２筐体２０とは略同一サイズである。
【００６３】
このように構成した電子機器１において、図７（ａ）に示す第１モードでは、第１筐体１０の裏面側に第２筐体２０が完全に重なっている。かかる状態は、待機モードでも同様であり、第１入力操作部７１への入力操作などが発生した場合、待機モードから第１モードへ自動的に移行する。
【００６４】
また、第１モードから、図７（ｂ）に示す第２モードへの切り換えは、スライド機構５５により第２筐体２０を第１筐体１０に対して他方側１ｂに相対的にスライドさせて第２筐体２０の表面の他方側１ｂの端部に形成されている第２入力操作部７２を露出させることにより行なわれる。かかる動作と反対の動作を行なえば、第２モードから第１モードへの切り換えが行なわれる。
【００６５】
このような構成を採用するにあたって、スライド機構５５は、例えば、図３（ｂ）を参照して説明したように、一方の筐体の側端部に形成されたガイド溝５８と、他方の筐体の側端部においてガイド溝５８に嵌る突起５９とによって構成でき、かかるガイド溝５８内では、２つの筐体の間での電気的な接続も行なわれている。また、第１筐体１０と第２筐体２０との間には、スライド機構５５などを利用して、ストッパやロック機構（図示せず）も構成されている。さらに、図７に模式的に示すように、第１筐体１０と第２筐体２０との間には、スライド機構５５などを利用して、第１筐体１０に対して第２筐体２０が重なった状態、およびスライド移動した状態を検出するセンサ９０が構成されており、かかるセンサ９０は、第１モードと第２モードとの間での切り換えを監視する。また、本形態では、第１筐体１０の内部に、実施の形態１において図４を参照して説明したモード制御部６０と同様なモード制御部が構成されており、センサ９０での監視結果に基づいて、表示制御部６１および入力操作制御部６２は、表示部５、第１入力操作部７１および第２入力操作部７２を制御する。
【００６６】
以上説明したように、本形態の電子機器１でも、実施の形態１と同様、第１モードでは、情報が表示される表示部５に対して一方側１ａに第１入力操作部７１が位置し、表示部５では第１入力操作部７１が位置する側を下方とする画像表示が行なわれる。また、本形態では、表示部５を挟む両側に第１入力操作部７１および第２入力操作部７２が位置する第２モードが実現され、かかる第２モードでは、第１入力操作部７１および第２入力操作部７２が位置する側を左右方向とする画像表示が行なわれる。従って、第２モードでは、表示部５で表示された画像をみながら第１入力操作部７１および第２入力操作部７２を両手で操作することができ、ゲーム機能などを利用する際の操作性がよいなど、実施の形態１と同様な効果を奏する。
【００６７】
また、本形態では、２つの筐体（第１筐体１０および第２筐体２０）によって上記のモードを実行できるので、実施の形態１〜３に比して、電子機器１の薄手化および軽量化を図ることができる。
【００６８】
［実施の形態５］
図８（ａ）、（ｂ）、（ｃ）は各々、本発明の実施の形態５に係る電子機器１の待機モード、第１モード、および第２モードでの形態を示す説明図である。なお、本形態の電子機器１の基本的な構成は、実施の形態１、４と同様であるため、共通する機能を有する部分には同一の符号を付してそれらの詳細な説明を省略する。
【００６９】
図８（ａ）、（ｂ）、（ｃ）に示す電子機器１も、実施の形態１と同様、通話機能、ＴＶ電話機能、カメラ機能、ビデオ撮影／表示機能、ゲーム機能、音楽再生機能、スケジュール機能等の多くの機能を備えている。また、互いにスライド可能に連結された複数の筐体を相対移動させることにより、図８（ａ）に示す待機モードと、図８（ａ）に示す第１モードと、図８（ｃ）に示す第２モードとが実行される。かかるモードのうち、図８（ｂ）に示す第１モードでは、情報が表示される表示部５に対して一方側１ａに第１入力操作部７１が位置し、図８（ｂ）に示す第２モードでは、表示部５に対して一方側１ａに第１入力操作部７１が位置するとともに、表示部５の他方側１ｂに第２入力操作部７２が位置する。かかるモード切り換えに対応して、表示部５では、図２（ａ）に示すように、第１モードにおいては、表示部５で第１入力操作部７１が位置する側を下方とする画像表示が行なわれ、図２（ｂ）に示すように、第２モードでは、表示部５で第１入力操作部７１および第２入力操作部７２が位置する側を左右方向とする画像表示が行なわれる。
【００７０】
かかるモードを実現するにあたって、本形態では、実施の形態４と同様、以下に説明する第１筐体１０、および第２筐体２０からなる２つの筐体が用いられる。
【００７１】
まず、本形態では、２つの筐体として、表面の一方側１ａの領域および他方側１ｂの領域に第１入力操作部７１および表示部５が各々形成された第１筐体１０と、第２入力操作部７２が表面の他方側１ｂの端部に構成された第２筐体２０とを有している。また、第２筐体２０の表面において、第２入力操作部７２に対して一方側１ａには第３入力操作部７３が構成されている。ここで、第２筐体２０は、第１筐体１０の裏面側で第１筐体１０にスライド機構５５を介して連結されている。また、第１筐体１０と第２筐体２０とは略同一サイズである。
【００７２】
このように構成した電子機器１において、図８（ａ）に示す待機モードでは、第１筐体１０の裏面側に第２筐体２０が完全に重なっており、第２入力操作部７２および第３入力操作部７３が第１筐体１０で覆われた状態にある。
【００７３】
かかる待機モードから、図８（ｂ）に示す第１モードへの切り換えは、スライド機構５５により、第２筐体２０を第１筐体１０に対して一方側１ａに相対的にスライドさせることにより行なわれ、かかる第１モードでは、表示部５に対して一方側１ａに第１入力操作部７１が位置するとともに、第１入力操作部７１に対してさらに一方側１ａには、第３入力操作部７３が露出している。かかる動作と反対の動作を行なえば、第１モードから待機モードへの切り換えが行なわれる。ここで、第３入力操作部７３は、第１入力操作部７１および第２入力操作部７２と同様、押しボタン式の操作部であるが、第３入力操作部７３は、液晶装置や有機エレクトロルミネッセンス装置などの表示装置の表面にタッチパネルが構成された入力機能付き表示装置や、押しボタンが印刷されたシートにタッチパネルが重ねて配置された入力装置として構成されることもある。
【００７４】
かかる第１モードから、図８（ｃ）に示す第２モードへの切り換えは、スライド機構５５により第２筐体２０を第１筐体１０に対して他方側１ｂに相対的にスライドさせて第２筐体２０の表面の他方側１ｂの端部に構成された第２入力操作部７２を露出させることにより行なわれ、かかる第２モードにおいては、第３入力操作部７３は第１筐体１０で覆われた状態にある。かかる動作と反対の動作を行なえば、第２モードから第１モードへの切り換えが行なわれる。
【００７５】
このような構成を採用するにあたって、スライド機構５５は、例えば、図３（ｂ）を参照して説明したように、一方の筐体の側端部に形成されたガイド溝５８と、他方の筐体の側端部においてガイド溝５８に嵌る突起５９とによって構成でき、かかるガイド溝５８内では、２つの筐体の間での電気的な接続も行なわれている。また、第１筐体１０と第２筐体２０との間には、スライド機構５５などを利用して、ストッパやロック機構（図示せず）も構成されている。さらに、図７に模式的に示すように、第１筐体１０と第２筐体２０との間には、スライド機構５５などを利用して、第１筐体１０に対して第２筐体２０が重なった状態、および一方側１ａにスライド移動した状態を検出する第１センサ９１が構成されており、かかる第１センサ９１は、待機モードと第１モードとの間での切り換えを監視する。また、図７に模式的に示すように、第１筐体１０と第２筐体２０との間には、スライド機構５５などを利用して、第１筐体１０に対して第２筐体２０が重なった状態、および他方側１ｂにスライド移動した状態を検出する第２センサ９２が構成されており、かかる第２センサ９２は、第１モードと第２モードとの間での切り換えを監視する。また、本形態では、第１筐体１０の内部に、実施の形態１において図４を参照して説明したモード制御部６０が構成されており、センサ９０での監視結果に基づいて、表示制御部６１および入力操作制御部６２は、表示部５、第１入力操作部７１および第２入力操作部７２を制御する。
【００７６】
以上説明したように、本形態の電子機器１でも、実施の形態１と同様、第１モードでは、情報が表示される表示部５に対して一方側１ａに第１入力操作部７１が位置し、表示部５では第１入力操作部７１が位置する側を下方とする画像表示が行なわれる。また、本形態では、表示部５を挟む両側に第１入力操作部７１および第２入力操作部７２が位置する第２モードが実現され、かかる第２モードでは、第１入力操作部７１および第２入力操作部７２が位置する側を左右方向とする画像表示が行なわれる。従って、第２モードでは、表示部５で表示された画像をみながら第１入力操作部７１および第２入力操作部７２を両手で操作することができ、ゲーム機能などを利用する際の操作性がよいなど、実施の形態１と同様な効果を奏する。
【００７７】
また、本形態では、実施の形態４と同様、２つの筐体（第１筐体１０および第２筐体２０）によって上記のモードを実行できるので、実施の形態１〜３に比して、電子機器１の薄手化および軽量化を図ることができる。
【００７８】
また、本形態では、待機モードから第１モードへの切り換えた際、第１操作部に対して一方側１ａで第３入力操作部７３が露出位置するので、第１入力操作部７１については、第２モードに必要な数のボタンがあればよい。それ故、第１入力操作部７１の小型化を図ることができる。
【００７９】
［実施の形態１〜５の変形例］
図９（ａ）、（ｂ）は、本発明の実施の形態１〜５に係る電子機器１において、表示部５に表示された押しボタンの選択画面の説明図、およびその選択により表示される押しボタンの形態を示す説明図である。
【００８０】
上記実施の形態１〜５において、第１入力操作部７１および第２入力操作部７２はいずれも、押しボタン式の操作部であったが、第１入力操作部７１または／および第２入力操作部７２を、液晶装置や有機エレクトロルミネッセンス装置などの表示装置の表面にタッチパネルが構成された入力機能付き表示装置によって構成した場合、第２モードで、図２（ｂ）に示す選択画像で「Ｇａｍｅ」を選択した場合、図９（ａ）に示すように、押しボタンの形態を選択する画像が表示され、かかる選択画像に対して、第１入力操作部７１または／第２入力操作部７２において選択入力操作を行うと、図９（ｂ）に示すように、入力機能付き表示装置に表示される操作ボタン７６の数が２個、あるいは４個に切り換えるように構成してもよい。かかる構成によれば、第２モードで利用されるゲームの種類によって最適な数の押しボタン７６が表示されるので、使い勝手がよい。
【図面の簡単な説明】
【００８１】
【図１】本発明の実施の形態１に係る電子機器の待機モード、第１モード、および第２モードでの形態を示す説明図である。
【図２】（ａ）、（ｂ）は、本発明を適用した電子機器の表示部において、第１モードで表示される画像の説明図、および第２モードで表示される画像の説明図である。
【図３】（ａ）、（ｂ）は各々、本発明を適用した電子機器に構成されるヒンジ機構の説明図、およびスライド機構の説明図である。
【図４】本発明を適用した電子機器に構成されるモード制御部の構成を示すブロック図である。
【図５】（ａ）、（ｂ）、（ｃ）は各々、本発明の実施の形態２に係る電子機器の待機モード、第１モード、および第２モードでの形態を示す説明図である。
【図６】（ａ）、（ｂ）、（ｃ）は各々、本発明の実施の形態３に係る電子機器の待機モード、第１モード、および第２モードでの形態を示す説明図である。
【図７】（ａ）、（ｂ）は各々、本発明の実施の形態４に係る電子機器の第１モードおよび第２モードでの形態を示す説明図である。
【図８】（ａ）、（ｂ）、（ｃ）は各々、本発明の実施の形態５に係る電子機器の待機モード、第１モード、および第２モードでの形態を示す説明図である。
【図９】（ａ）、（ｂ）は、本発明の実施の形態１〜５の変形例に係る電子機器において、表示部に表示された押しボタンの選択画面の説明図、およびその選択により表示される押しボタンの形態を示す説明図である。
【符号の説明】
【００８２】
１・・電子機器、１ａ・・一方側、１ｂ・・他方側、５・・表示部、１０・・第１筐体、２０・・第２筐体、３０・・第３筐体、７１・・第１入力操作部、７２・・第２入力操作部
【図１】
2009171085.tif 000003
【図２】
2009171085.tif 000004
【図３】
2009171085.tif 000005
【図４】
2009171085.tif 000006
【図５】
2009171085.tif 000007
【図６】
2009171085.tif 000008
【図７】
2009171085.tif 000009
【図８】
2009171085.tif 000010
【図９】
2009171085.tif 000011
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
互いに相対的に移動可能に連結された複数の筐体と、
情報が表示される表示部と、
前記表示部に対して一方側に第１入力操作部が位置する第１モードと、
前記表示部に対して前記一方側に前記第１入力操作部が位置するとともに、前記表示部の他方側に第２入力操作部が位置する第２モードと、を備え、
前記複数の筐体を相対移動させることにより、前記第１のモードと前記第２のモードが切り替えられ、
前記第１モードでは、前記表示部で前記第１入力操作部が位置する側を下方とする画像表示が行なわれ、前記第２モードでは、前記表示部で前記第１入力操作部および前記第２入力操作部が位置する側を左右方向とする画像表示が行なわれることを特徴とする電子機器。
【請求項２】
前記複数の筐体として、前記第１入力操作部が表面に構成された第１筐体と、前記第２入力操作部が表面に構成された第２筐体と、前記表示部が表面に構成された第３筐体とを有し、
前記第１モードでは、前記第３筐体が前記第１入力操作部を露出させた状態で前記第２筐体の表面に重なって前記第２入力操作部の表面を覆った状態にあり、
前記第１モードから前記第２モードに切り換える際、前記第１入力操作部の露出状態を維持したまま前記第２筐体に対して前記第３筐体を前記一方側に相対移動させることにより前記第２入力操作部の表面を露出させることを特徴とする請求項１に記載の電子機器。
【請求項３】
前記第３筐体に対して前記第１筐体および前記第２筐体を相対移動させることにより、前記第３筐体に対して前記第１筐体および前記第２筐体が厚さ方向に重なった待機モードと、前記第１モードとの間での切り換えが行なわれることを特徴とする請求項２に記載の電子機器。
【請求項４】
前記第１筐体の前記他方側の端部と前記第２筐体の前記一方側の端部とはヒンジ機構を介して連結され、
前記第３筐体は、前記第２筐体の表面側で当該第２筐体に対してスライド機構を介して連結され、
前記待機モードでは、前記第１筐体の表面側で前記第２筐体および前記第３筐体が表面を前記第１筐体に向けて重なった状態にあり、
前記待機モードから前記第１モードへの切り換えは、前記ヒンジ機構により、前記第２筐体および前記第３筐体を重なった状態のまま前記第１筐体に対して前記他方側に向けて回転させて前記第１筐体の表面および前記第３筐体の表面を露出させることにより行なわれ、
前記第１モードから前記第２モードへの切り換えは、前記スライド機構により前記第３筐体を前記第２筐体の表面側で前記第１筐体に向けてスライドさせて当該第１筐体の表面の一部を覆う一方、前記第２筐体の表面の前記他方側の開放することにより行なわれることを特徴とする請求項３に記載の電子機器。
【請求項５】
前記第１筐体は、前記第３筐体の裏面側で当該第３筐体に第１スライド機構を介して連結され、
前記第２筐体は、前記第３筐体の裏面側で当該第３筐体に第２スライド機構を介して連結され、
前記待機モードでは、前記第３筐体の裏面側に前記第１筐体および前記第２筐体が表面を当該第３筐体に向けて重なった状態にあり、
前記待機モードから前記第１モードへの切り換えは、前記第１スライド機構により前記第３筐体に対して前記第１筐体のみを前記一方側にスライドさせて前記第１筐体の表面を露出させることにより行なわれ、
前記第１モードから前記第２モードへの切り換えは、前記第２スライド機構により前記第２筐体を前記第３筐体に対して前記他方側にスライドさせて前記第２筐体の表面を露出させることにより行なわれることを特徴とする請求項３に記載の電子機器。
【請求項６】
前記第１筐体は、前記第３筐体の裏面側で当該第３筐体に第１スライド機構を介して連結され、
前記第２筐体は、前記第３筐体の内側に収納された状態で当該第３筐体に第２スライド機構を介して連結され、
前記待機モードでは、前記第３筐体の裏面側に前記第１筐体が重なるとともに当該第３筐体の内部に前記第２筐体が収納された状態にあり、
前記待機モードから前記第１モードへの切り換えは、前記第１スライド機構により前記第３筐体に対して前記第１筐体のみを前記一方側にスライドさせて前記第１筐体の表面を露出させることにより行なわれ、
前記第１モードから前記第２モードへの切り換えは、前記第２スライド機構により前記第２筐体を前記第３筐体から他方側にスライドさせて前記第２筐体の表面を露出させることにより行なわれることを特徴とする請求項３に記載の電子機器。
【請求項７】
前記複数の筐体として、表面の前記一方側の領域および前記他方側の領域に前記第１入力操作部および前記表示部が各々形成された第１筐体と、前記第２入力操作部が表面に構成された第２筐体とを有し、
前記第１モードでは、前記第１筐体が前記第２筐体の表面側に重なって前記第２入力操作部が当該第１筐体によって覆われた状態にあり、
前記第１モードから前記第２モードに切り換える際、前記第２筐体に対して前記第１筐体を前記一方側に相対移動させることにより前記第２筐体の表面を露出させることを特徴とする請求項１に記載の電子機器。
【請求項８】
前記第２筐体は、前記第１筐体の裏面側で当該第１筐体にスライド機構を介して連結され、
前記第１モードから前記第２モードへの切り換えは、前記スライド機構により前記第２筐体を前記第１筐体に対して前記他方側にスライドさせて前記第２筐体の表面を露出させることにより行なわれることを特徴とする請求項７に記載の電子機器。
【請求項９】
前記第２筐体の表面には、前記第２入力操作部に対して前記一方側の領域に第３入力操作部が構成され、
待機モードでは、前記第１筐体に対して前記第２筐体が厚さ方向に重なって前記第２入力操作部および前記第３入力操作部が前記第１筐体で覆われた状態にあり、
前記待機モードから前記第１モードに切り換えた際、前記第１操作部に対して前記一方側で前記第３入力操作部が露出することを特徴とする請求項８に記載の電子機器。
【請求項１０】
前記第１モードと前記第２モードとの間の切り換えを検出するセンサを備え、
前記センサでの検出結果に基づいて、前記第１モードと前記第２モードとの間で前記表示部で表示される画像の向きが自動的に切り換えられることを特徴とする請求項１乃至９の何れか一項に記載の電子機器。
【請求項１１】
前記表示部では、前記センサでの検出結果に基づいて、前記第２モードのときには当該第２モードで使用が予測されるアプリケーションの選択画面が前記表示部に表示されることを特徴とする請求項１０に記載の電子機器。
【請求項１２】
前記第１入力操作部および前記第２入力操作部のうちの少なくとも一方は、入力機能付き表示装置により構成され、
前記第２モードでは、前記第１入力操作部または／前記第２入力操作部に対する入力操作に基づいて前記入力機能付き表示装置に表示される操作ボタンの形態が切り換えられることを特徴とする請求項１乃至１１の何れか一項に記載の電子機器。
【手続補正２】
【補正対象書類名】明細書
【補正対象項目名】０００３
【補正方法】変更
【補正の内容】
【０００３】
そこで、スライド機構やヒンジ機構を用いて、表示部の向きや表示部に対する入力操作部の位置を切り換えることのできる電子機器が提案されている（例えば、特許文献１〜６参照）。
【特許文献１】特開２００４−３１２９８２号公報
【特許文献２】特開２００５−３４１０２５号公報
【特許文献３】特開２００５−７６６８８号公報
【特許文献４】特開２００６−３１３５３３号公報
【特許文献５】特開２００５−２６９５６６号公報
【特許文献６】特開２００７−１９６８０号公報
【手続補正３】
【補正対象書類名】明細書
【補正対象項目名】０００６
【補正方法】変更
【補正の内容】
【０００６】
上記課題を解決するために、本発明では、互いに相対的に移動可能に連結された複数の筐体と、情報が表示される表示部と、前記表示部に対して一方側に第１入力操作部が位置する第１モードと、前記表示部に対して前記一方側に前記第１入力操作部が位置するとともに、前記表示部の他方側に第２入力操作部が位置する第２モードと、を備え、前記複数の筐体を相対移動させることにより、前記第１のモードと前記第２のモードが切り替えられ、前記第１モードでは、前記表示部で前記第１入力操作部が位置する側を下方とする画像表示が行なわれ、前記第２モードでは、前記表示部で前記第１入力操作部および前記第２入力操作部が位置する側を左右方向とする画像表示が行なわれることを特徴とする。
【手続補正４】
【補正対象書類名】明細書
【補正対象項目名】００３１
【補正方法】変更
【補正の内容】
【００３１】
また、第１モードから、図１（ｃ）に示す第２モードへの切り換えは、スライド機構５０により、第３筐体３０を第２筐体２０の表面側で第１筐体１０に向けてスライドさせて第１筐体１０の表面の一部を覆う一方、第２筐体２０の表面の他方側１ｂの端部に形成された第２入力操作部７２を露出させることにより行なわれる。かかる動作と反対の動作を行なえば、第２モードから第１モードへの切り換えが行なわれる。なお、第２モードでは、第１入力操作部７１の一部のみが露出しているが、かかる部分には第２モードに必要な全ての押しボタンが配置されている。
【手続補正５】
【補正対象書類名】明細書
【補正対象項目名】００３４
【補正方法】変更
【補正の内容】
【００３４】
また、図１に示すスライド機構５０は、例えば、図３（ｂ）に示すように、一方の筐体（例えば、第２筐体２０）の側端部に形成されたガイド溝５８と、他方の筐体（例えば、第３筐体３０）の側端部においてガイド溝５８に嵌る突起５９とによって構成でき、かかるガイド溝５８内では、一方の筐体の側と他方の筐体の側での電気的な接続も行なわれている。また、第２筐体２０と第３筐体３０の間には、スライド機構５０などの内部にスライド可能な範囲を規定するストッパ（図示せず）が形成されているとともに、第３筐体３０が一方側１ａに不用意に移動することを防止するロック機構（図示せず）も構成されている。さらに、図１に模式的に示すように、第２筐体２０と第３筐体３０の間には、ガイド溝５８内などを利用して、第２筐体２０と第３筐体３０とが重なった状態、および第２筐体２０に対して第３筐体３０が一方側１ａにスライド移動した状態を検出する第２センサ９２が構成されており、かかる第２センサ９２は、第１モードと第２モードとの間での切り換えを監視する。なお、第２センサ９２としては、電気接点方式、光学方式、機械スイッチ方式、磁気スイッチ方式のいずれを採用してもよい。
【手続補正６】
【補正対象書類名】明細書
【補正対象項目名】００４７
【補正方法】変更
【補正の内容】
【００４７】
また、第１モードから、図５（ｃ）に示す第２モードへの切り換えは、第２スライド機構５２により、第２筐体２０を第３筐体３０に対して他方側１ｂに相対的にスライドさせて第２筐体２０の表面に形成された第２入力操作部７２を露出させることにより行なわれる。かかる動作と反対の動作を行なえば、第２モードから第１モードへの切り換えが行なわれる。
【手続補正７】
【補正対象書類名】明細書
【補正対象項目名】００４８
【補正方法】変更
【補正の内容】
【００４８】
このような構成を採用するにあたって、第１スライド機構５１および第２スライド機構５２は、例えば、図３（ｂ）を参照して説明したように、一方の筐体の側端部に形成されたガイド溝５８と、他方の筐体の側端部においてガイド溝５８に嵌る突起５９とによって構成でき、かかるガイド溝５８内では、２つの筐体の間での電気的な接続も行なわれている。また、第１筐体１０と第３筐体３０との間、および第２筐体２０と第３筐体３０との間には、第１スライド機構５１および第２スライド機構５２などを利用して、ストッパやロック機構（図示せず）も構成されている。さらに、図５に模式的に示すように、第１筐体１０と第３筐体３０との間には、第１スライド機構５１などを利用して、第３筐体３０に対して第１筐体１０が重なった状態、およびスライド移動した状態を検出する第１センサ９１が構成されており、かかる第１センサ９１は、待機モードと第１モードとの間での切り換えを監視する。また、図５に模式的に示すように、第２筐体２０と第３筐体３０との間には、第２スライド機構５２などを利用して、第３筐体３０に対して第２筐体２０が重なった状態、およびスライド移動した状態を検出する第２センサ９２が構成されており、かかる第２センサ９２は、第１モードと第２モードとの間での切り換えを監視する。また、本形態では、第１筐体１０の内部に、実施の形態１において図４を参照して説明したモード制御部６０が構成されており、第１センサ９１および第２センサ９２での監視結果に基づいて、表示制御部６１および入力操作制御部６２は、表示部５、第１入力操作部７１および第２入力操作部７２を制御する。
【手続補正８】
【補正対象書類名】明細書
【補正対象項目名】００５７
【補正方法】変更
【補正の内容】
【００５７】
このような構成を採用するにあたって、第１スライド機構５１および第２スライド機構５２は、例えば、図３（ｂ）を参照して説明したように、一方の筐体の側端部に形成されたガイド溝５８と、他方の筐体の側端部においてガイド溝５８に嵌る突起５９とによって構成でき、かかるガイド溝５８内では、２つの筐体の間での電気的な接続も行なわれている。また、第１筐体１０と第３筐体３０との間、および第２筐体２０と第３筐体３０との間には、第１スライド機構５１および第２スライド機構５２などを利用して、ストッパやロック機構（図示せず）も構成されている。さらに、図６に模式的に示すように、第１筐体１０と第３筐体３０との間には、第１スライド機構５１などを利用して、第３筐体３０に対して第１筐体１０が重なった状態、およびスライド移動した状態を検出する第１センサ９１が構成されており、かかる第１センサ９１は、待機モードと第１モードとの間での切り換えを監視する。また、図６に模式的に示すように、第２筐体２０と第３筐体３０との間には、第２スライド機構５２などを利用して、第３筐体３０に対して第２筐体２０が重なった状態、およびスライド移動した状態を検出する第２センサ９２が構成されており、かかる第２センサ９２は、第１モードと第２モードとの間での切り換えを監視する。また、本形態では、第１筐体１０の内部に、実施の形態１において図４を参照して説明したモード制御部６０が構成されており、第１センサ９１および第２センサ９２での監視結果に基づいて、表示制御部６１および入力操作制御部６２は、表示部５、第１入力操作部７１および第２入力操作部７２を制御する。
【手続補正９】
【補正対象書類名】明細書
【補正対象項目名】００６９
【補正方法】変更
【補正の内容】
【００６９】
図８（ａ）、（ｂ）、（ｃ）に示す電子機器１も、実施の形態１と同様、通話機能、ＴＶ電話機能、カメラ機能、ビデオ撮影／表示機能、ゲーム機能、音楽再生機能、スケジュール機能等の多くの機能を備えている。また、互いにスライド可能に連結された複数の筐体を相対移動させることにより、図８（ａ）に示す待機モードと、図８（ｂ）に示す第１モードと、図８（ｃ）に示す第２モードとが実行される。かかるモードのうち、図８（ｂ）に示す第１モードでは、情報が表示される表示部５に対して一方側１ａに第１入力操作部７１が位置し、図８（ｃ）に示す第２モードでは、表示部５に対して一方側１ａに第１入力操作部７１が位置するとともに、表示部５の他方側１ｂに第２入力操作部７２が位置する。かかるモード切り換えに対応して、表示部５では、図２（ａ）に示すように、第１モードにおいては、表示部５で第１入力操作部７１が位置する側を下方とする画像表示が行なわれ、図２（ｂ）に示すように、第２モードでは、表示部５で第１入力操作部７１および第２入力操作部７２が位置する側を左右方向とする画像表示が行なわれる。
【手続補正１０】
【補正対象書類名】明細書
【補正対象項目名】００７５
【補正方法】変更
【補正の内容】
【００７５】
このような構成を採用するにあたって、スライド機構５５は、例えば、図３（ｂ）を参照して説明したように、一方の筐体の側端部に形成されたガイド溝５８と、他方の筐体の側端部においてガイド溝５８に嵌る突起５９とによって構成でき、かかるガイド溝５８内では、２つの筐体の間での電気的な接続も行なわれている。また、第１筐体１０と第２筐体２０との間には、スライド機構５５などを利用して、ストッパやロック機構（図示せず）も構成されている。さらに、図８に模式的に示すように、第１筐体１０と第２筐体２０との間には、スライド機構５５などを利用して、第１筐体１０に対して第２筐体２０が重なった状態、および一方側１ａにスライド移動した状態を検出する第１センサ９１が構成されており、かかる第１センサ９１は、待機モードと第１モードとの間での切り換えを監視する。また、図８に模式的に示すように、第１筐体１０と第２筐体２０との間には、スライド機構５５などを利用して、第１筐体１０に対して第２筐体２０が重なった状態、および他方側１ｂにスライド移動した状態を検出する第２センサ９２が構成されており、かかる第２センサ９２は、第１モードと第２モードとの間での切り換えを監視する。また、本形態では、第１筐体１０の内部に、実施の形態１において図４を参照して説明したモード制御部６０が構成されており、センサ９１及び９２での監視結果に基づいて、表示制御部６１および入力操作制御部６２は、表示部５、第１入力操作部７１および第２入力操作部７２を制御する。